(57)【要約】      （修正有）【課題】パジャマなど衣服のズボン裾口を改良することで、就寝時は裾口を閉じて袋状裾内に足先まで入れて保温でき、起床時には裾口を開いて足先のみを出し歩行出来る、パジャマズボンを提供する。【解決手段】パジャマなど寝具として着用する衣服のズボンの裾部において、足先まで覆う程度の長さを持つ裾部と、当該裾末端部に作られた紐通し部２にゴム紐３を通してゴム紐両端を紐通し部別々の出口から取り出し当該ゴム紐がゴム管内で交差固定出来る程度の内径を持つ短いゴム管４の両端からゴム管の中で交差するように通すことで、当該ゴム紐両端を左右に引けば裾口が閉塞し、当該ゴム管部を手前に引けば閉塞裾口を開口出来る非結束型ゴム紐交差固定式裾口開閉具に加工してある裾口とを備える足部分保温機能性衣類。【選択図】図２
2016108712.tif 000002
【特許請求の範囲】
【請求項１】
パジャマなど寝具として着用する衣服のズボンの裾部において、足先まで覆う程度の長さを持つ裾部と、当該裾末端部に作られた紐通し部にゴム紐を通してゴム紐両端を紐通し部別々の出口から取り出し当該ゴム紐がゴム管内で交差固定出来る程度の内径を持つ短いゴム管の両端からゴム管の中で交差するように通すことで、当該ゴム紐両端を左右に引けば裾口が閉塞し、当該ゴム管部を手前に引けば閉塞裾口を開口出来る非結束型ゴム紐交差固定式裾口開閉具（図２．）に加工してある裾口とを備えることを特徴とする足部分保温機能性衣類。
【発明の詳細な説明】
【発明の技術分野】
【０００１】裾口をワンタッチで開閉出来る裾長パジャマズボン
【発明の技術背景】
【０００２】  足先までを裾内に収めて就寝すれば暖かいことはよく知られている。その場合就寝中動き回る足先が裾口から布団の中へ露出しないことが必須であり裾口を閉じた裾袋構造が最も適している。同時に起床時には裾口が簡単に開けて足先を裾口から出せることが実用上重要である。
【先行技術】
【０００３】  先行技術には就寝時には裾口からの足先露出を防ぎ起床時には足を出して歩ける裾構造が多く提案されている。大別すると二種類の裾構造類型に分類出来る。（類型１．）は就寝中開口裾型で裾口をゴム等で絞り適当な巾の開口裾口にしてゴムの緊締力で足の突き出しを防ぐ方法、（類型２．）は閉塞裾型でファスナーや布紐を結んで裾口を閉じ足の露出を防ぐ方法である。（類型１．）は就寝中足と布団との摩擦やゴムの劣化等で足突き出しを防げず、ゴム締め過ぎは血流障害の危険がある。（類型２．）は裾が袋構造になるので最も適しているようであるが裾の開閉操作が煩雑であることに加え、就寝中にファスナーは糸くず等を咬み込み易く、紐も誤って堅結びにすると簡単には解けなくなるなど、いずれも汎用には問題が多い。先行技術を特許及び実用新案の登録番号及び公報番号で示し同時それぞれの技術が提案する（裾構造の類型）を示す。
【先行技術文献１】
実開昭５３−１７４１５公報  （類型１．２）
【先行技術文献２】
実開昭５７−１３８９２１号  （類型２）
【先行技術文献３】
実開昭６２−３５１９号  （類型２）
【先行技術文献４】
特許第３８４８３５９号  （類型２）
【先行技術文献５】
実開平０２−０５７９１５号  （類型１）
【先行技術文献６】
実新登第３０５９５６９号  （類型１）
【先行技術文献７】
実新登第３１７６０２６号  （本考案関連の先行技術）
【発明が解決しようとする課題】
【０００４】    裾長パジャマズボンの裾口を簡単に開閉出来る方法を着用中故障すること無く体に危険を及ぼさない材料を使って考案すれば、就寝時には足を袋状の裾内に収めて保温が出来、起床時には裾口を開き足先を出して歩行出来る暖かく使い易い裾長パジャマズボンを作ることが出来る。
【課題を解決する為の手段】
【０００５】    本考案では、裾口にゴム紐とゴム紐止め用ゴム管とで構成される裾口開閉具を備えた裾長パジャマズボンを課題を解決する方法として提案する。当該裾口開閉具はズボン裾口のゴム紐通し部に通してあるゴム紐の両端をそれぞれ別々の出口からゴム通し部の外に出し、当該ゴム紐両端を短いゴム管の両端から通してゴム管内部でゴム紐を交差固定させ、ゴム管を通したゴム紐の両端を結び玉にすることで構成される（図１．）。当該裾口開閉具に用いるゴム紐は通常の下着類に一般的に使用される布被覆ゴム紐が適している。ゴム紐の結び玉間の長さは、好ましくは起床時裾口を開き足先を裾口から出した時着用者の足土踏まず部分に血流障害を起こさない程度に緩く密着できる程度の長さが適当である（図２．）。通常はゴム管内で交差し両端に結び球のない長めのゴム紐で供給され（図３．）着用者が着用開始時に着用者に必要な長さに結び玉を作ることで個人別裾口開閉具を作ることが出来る。当該裾口開閉具に使用するゴム紐止め用ゴム管は通常市販のゴム管類であって使用されるゴム紐をゴム管内部で交差出来て緩く固定保持出来る程度の内径で、長さは実用上好ましくは１ｃｍ以上３ｃｍ程度であるが特に限定するもではない。
【発明を実施するための形態】
【０００６】    本考案のゴム紐交差固定式裾口開閉具を備えた裾長パジャマズボンを着用すれば、就寝時には裾口開閉具ゴム紐球部を左右に引き裾口を閉じて裾を袋構造（図２．Ａ）にして足を裾内に収め暖かく就寝出来る、裾口が閉じているので裾から冷たい寝具の中へ足を突き出すことは無い。裾口から伸びるゴム紐は短く睡眠を妨げ無い。起床時には裾口開閉具ゴム管部分を手前に引けば裾口が簡単に開き足先を出して歩行出来る、裾口はゴム紐で足の土踏まず部分に緩く密着固定されるので長い裾も歩行の邪魔にならない、就寝時には裾口閉塞具から伸びていたゴム紐部分も起床時には裾口ゴム紐通し部内に収まっており歩行の妨げになるゴム紐は無い。特に冬夜間の起床時には足先部分以外の下肢部は全て裾内に保護されて冷たい冷気に晒される事は無い。
【発明の新規性と先行技術】
【０００７】当該ゴム紐交差固定式裾口開閉具は、従来使用されているもっとも一般的なゴム紐を含む紐類結束開閉方法（類型１）、ファスナー、紐ストッパー等固定用具類使開閉方法類（類型２）袋物等の開閉に使われている紐通し部の両側から二本の紐を互いに反対方向に通し結び玉を造り、紐結び部を左右に引くことで両側紐の締め合いによる袋口開閉を行う方法（３）、等とは異なる一本のゴム紐による非結束型ゴム紐交差式裾口開閉具である。尚、本考案は本出願人による先行技術［先行技術文献７］実新登第３１７６０２６号の一部を使用している。
【図面の簡単な説明】
【０００８】
【図１】裾口にゴム紐交差固定式裾口開閉具を備えた裾長パジャマズボン
【図２】ゴム紐長さ調整済み裾口ゴム紐交差固定式裾口開閉具の詳細図  裾口ゴム通し部（２）にゴム紐（３）を通しゴム紐出口（５）からゴム紐の両端を（２）の外に出し、短いゴム管（４）の両側からゴム紐を通してゴム管の内部で交差させる。ゴム管から出したゴム紐の両端にそれぞれ結び玉（６）を造りゴム管からゴム紐が抜けない構造にしてある。
【図３】販売時の裾部分（ゴム紐両端に結び球のない長めのゴム紐付）
【符号の説明】
【０００９】  （１）ゴム紐交差固定式裾口開閉具付裾口（ゴム紐長さ調整済み）
（２）ゴム紐交差固定式裾口開閉具を備えた裾口ゴム紐通し部分
（３）ゴム紐
（４）ゴム管
（５）ゴム紐通し部に開けられたゴム紐取り出し口
（６）ゴム紐結び玉
（７）結び玉のない眺めのゴム紐
（８）裾長ズボンの裾部分
【図１】
2016108712.tif 000003
【図２】
2016108712.tif 000004
【図３】
2016108712.tif 000005